(57)【要約】  【課題】清掃の際にモップ等の清掃具が幕板に衝突し、幕板と幕板支持部との接続部に無理な力がかかり幕板が破損することや、衝突の際に大きな音が発生することを抑える。  【解決手段】家具１の天板２下方に配される幕板４と、天板２の下面に設けられ前記幕板４の上端部を厚さ方向に遥動可能に支持する幕板支持部５とを備えていることを特徴とする幕板の取付構造を採用する。  【選択図】図４
2005143680.tif 000002
【特許請求の範囲】
【請求項１】
家具の天板下方に配される幕板と、天板の下面に設けられ前記幕板の上端部を厚さ方向に遥動可能に支持する幕板支持部とを備えていることを特徴とする幕板の取付構造。
【請求項２】
前記幕板が一方に傾動した場合と他方に傾動した場合とにおいて異なる支点で支持するように前記幕板支持部を形成していることを特徴とする請求項１記載の幕板の取付構造。
【請求項３】
前記幕板の両板面上端部に、厚さ寸法を上方に向けて漸次増大させるようにして傾斜面を形成しているとともに、前記傾斜面に板面の両側から当接する支持体を前記幕板支持部の下端部に備えていることを特徴とする請求項２記載の幕板の取付構造。
【請求項４】
前記幕板の板面が、平面部と、平面部に滑らかに連続する傾斜面とを有することを特徴とする請求項３記載の幕板の取付構造。
【請求項５】
前記幕板支持部が、幕板の上方において幕板に当接することにより幕板の厚み方向への遥動を阻止する当接部を備えていることを特徴とする請求項１、２、３又は４記載の幕板の取付構造。
【請求項６】
複数枚の前記幕板を幅方向に並列させて配置していることを特徴とする請求項１、２、３、４又は５記載の幕板の取付構造。
【請求項７】
天板と、天板下方に配される幕板と、天板の下面に設けられ前記幕板の上端部を厚さ方向に遥動可能に支持する幕板支持部とを備えていることを特徴とする幕板を備えた家具。
【請求項８】
前記幕板が一方に傾動した場合と他方に傾動した場合とにおいて異なる支点で支持するように前記幕板支持部を形成していることを特徴とする請求項７記載の幕板を備えた家具。
【発明の詳細な説明】
【技術分野】
【０００１】
本発明は、家具の天板下方における幕板の取付構造、及びこのような幕板の取付構造により取り付けられる幕板を備えた家具に関する。
【背景技術】
【０００２】
従来、家具に天板下方の空間を覆う幕板を取り付けるための構造として、例えば、幕板の上端部に吊り金具の下部をネジ止めするとともに、天板に前記吊り金具の上部をネジ止めして幕板を天板付き家具に取り付ける構成が考えられている。（例えば、特許文献１参照。）また、幕板の両端部から吊支杆を延出させ、両脚の後上部間を連結する連結杆の前面に設けた係止溝に前記吊支杆の上部に設けた係止片を係止して幕板を家具に取り付ける構成も考えられている。（例えば、特許文献２参照。）
【特許文献１】実公平６−４２５０４号
【特許文献２】特開２００３−１２５８５４号
【発明の開示】
【発明が解決しようとする課題】
【０００３】
ところで、特許文献１記載の幕板の取付構造では、幕板及び吊り金具が前後方向に緊締力を受けていて、幕板が前後方向に揺動することが阻止されている。また、特許文献２には、上下一対に前記係止片を設け、これらを前記係止溝に係止させて幕板の前後方向への揺動を阻止することが記載されている。しかし、清掃の際にモップ等の清掃具がこのような幕板に衝突すると、幕板は前後方向に揺動することを阻止されているので前記吊り金具ないし係止片に強い力が作用し、幕板のこれら吊り金具ないし係止片との接続部分が破損してしまう不具合や、衝突の際大きな音が発生する不具合が起こり得る。
【０００４】
本発明は、以上に述べた課題を解決すべく構成するものである。
【課題を解決するための手段】
【０００５】
すなわち本発明に係る幕板の取付構造は、家具の天板下方に配される幕板と、天板の下面に設けられ前記幕板の上端部を厚さ方向に遥動可能に支持する幕板支持部とを備えていることを特徴とする。
【０００６】
このように構成すれば、幕板支持部が幕板の上端部を厚さ方向に遥動可能に支持しているので、清掃の際にモップ等の清掃具がこのような幕板に衝突しても幕板が退避して力を逃がすことにより、幕板と幕板支持部との接続部に無理な力がかかり、幕板が破損することや、衝突の際に大きな音が発生することを抑えることができる。
【０００７】
幕板のぐらつきを抑えるための構成として、前記幕板が一方に傾動した場合と他方に傾動した場合とにおいて異なる支点で支持するように前記幕板支持部を形成しているものが挙げられる。このようなものであれば、前記幕板が傾動した状態において支点は厚さ方向中心よりも前記幕板が傾動した側と逆側に位置するので、幕板が天板から鉛直に垂下した状態に復帰しようとする力を大きくすることができ、幕板の傾動をより速やかに収束させることができるからである。
【０００８】
前段で述べた構成を実現する具体的な態様の一例として、前記幕板の両板面上端部に、厚さ寸法を上方に向けて漸次増大させるようにして傾斜面を形成しているとともに、前記傾斜面に板面の両側から当接する支持体を前記幕板支持部の下端部に備えているものが挙げられる。このようなものであれば、幕板はその自重の作用により前記傾斜面がそれぞれ前記支持体に当接する位置に配置され、幕板が板面の両側から支持体により支持されるので、幕板を安定して保持させることができる。
【０００９】
特に、前記幕板の板面が、平面部と、平面部に滑らかに連続する傾斜面とを有するものであれば、幕板が大幅に傾動して平面部が前記支持体に当接した場合に、幕板の自重により前記傾斜面がそれぞれ前記支持体に当接する状態に滑らかに復帰できる。なお、「平面部に滑らかに連続する傾斜面」は、平面部に滑らかに連続する曲面のみにより形成してもよく、また、平面部に対して一定角度で傾斜するとともに平面部が天板から鉛直方向に垂下する状態において前記支持体に当接する当接面部及び前記平面部と前記当接面との間に介在しこれら双方に滑らかに連続する曲面部とを組み合わせて構成してもよい。
【００１０】
前記幕板支持部が、幕板の上方において幕板に当接することにより幕板の厚み方向への遥動を阻止する当接部を備えているものであれば、この当接部が幕板に当接して幕板が一定角度以上遥動することを阻止するので、幕板の遥動をより速やかに収束させることができる。
【００１１】
複数枚の前記幕板を幅方向に並列させて配置しているものに上述したような構成を採用すると、複数枚の幕板を安定して幕板支持部から鉛直に垂下した姿勢に保持できるので、複数枚の幕板の厚さ方向位置をそろえて外観を整えることができるようになる。また、清掃具や着座者の足に当たった幕板のみが遥動するので、天板の端縁の長さ寸法の略全体にわたる幅寸法を有する一枚の幕板のみを前記幕板支持部に支持させる態様と比較して、幕板の遥動に伴い前記幕板支持部に無理な力がかかることを抑えることができる。
【００１２】
以上に述べたような幕板の取付構造を好適に実現できるものとして、天板と、天板下方に配される幕板と、天板の下面に設けられ前記幕板の上端部を厚み方向に遥動可能に支持する幕板支持部とを備えていることを特徴とする幕板を備えた家具が挙げられる。
【発明の効果】
【００１３】
本発明に係る幕板の取付構造は、家具の天板下方に配される幕板と、天板の下面に設けられ前記幕板の上端部を厚み方向に遥動可能に支持する幕板支持部とを備えているので、清掃の際にモップ等の清掃具がこのような幕板に衝突しても、また、着座者の足が幕板を蹴り込むようなことがあっても、幕板が退避して力を逃がすことにより、幕板と幕板支持部との接続部に無理な力がかかり、幕板が破損することや、衝突の際に大きな音が発生することを抑えることができる。
【発明を実施するための最良の形態】
【００１４】
以下、本発明の一実施形態を、図面を参照して説明する。
【００１５】
本実施形態に係る家具１は、図１に正面図、図２に側面図、図３に平面図、図４に図３におけるａ−ａ断面図、図５に図４における要部を拡大して示した図をそれぞれ示すように、天板２と、天板２を支持する脚３と、天板２の下方に配される幕板４と、天板２の下面に設けられ前記幕板４の上端部を支持する幕板支持部５とを備えている。
【００１６】
前記天板２及び前記脚３は、従来広く用いられている机の天板及び脚として周知のものと同様の構成を有する。
【００１７】
前記幕板４は、本実施形態では正面視略矩形状をなす板状の部材であり、芯材４１と、この芯材４１の板面に添設される表面部材４２とにより構成されている。また、この幕板４の天板２下方の空間に向かう板面（以下内板面４ａ）の上端部には、厚さ寸法を上方に向けて漸次増大させるようにして内傾斜面４ａ１を形成しているとともに、残りの部分を内平面部４ａ２としている。前記内傾斜面４ａ１は、本実施形態では、内平面部４ａ２に滑らかに連続する曲面状に形成している。
【００１８】
また、この幕板４は、厚さ寸法中央に対して面対称に形成している。すなわち、幕板４の他方の板面（以下外板面４ｂ）の上端部には、厚さ寸法を上方に向けて漸次増大させるようにして外傾斜面４ｂ１を形成しているとともに、残りの部分を外平面部４ｂ２としている。そして、後述するように、前記内傾斜面４ａ１及び前記外傾斜面４ｂ１を前記幕板支持部５に設けられた支持体５３ａ、５３ｂに支持させ、前記内平面部４ａ２及び前記外平面部４ｂ２が鉛直をなすようにしている。そして、この幕板４の上面４ｘは、本実施形態では幕板支持部５に前記内平面部４ａ２及び前記外平面部４ｂ２が鉛直をなす状態に保持された状態では水平をなすようにしている。
【００１９】
前記幕板支持部５は、本実施形態では、押し出し成形により形成される部材であり、天板２の下面の端縁に沿って配設される。具体的には、幕板４を取り付けた状態でこの幕板４の上面４ｘより上方に位置し、側面視Ｖ字型をなす当接部たる上壁５１と、前記上壁５１の外側端縁及び内側端縁から垂下してそれぞれ設けられる垂下壁５２と、前記垂下壁５２の下端から水平かつ相寄る方向に延伸して設けられる支持体５３ａ、５３ｂと、前記上壁５１の内側端縁から水平に延伸して設けられ、天板２の下面に固定するためのネジｖを挿通させるネジ挿通孔５４ａを有する取付部５４とを備えている。なお、以下の説明においては、内側に位置する支持体を内支持体５３ａ、外側に位置する支持体を外支持体５３ｂとしている。
【００２０】
前記上壁５１は、具体的には、内側及び外側の両端縁からこれらの中間に向かいそれぞれ下降する傾斜を有する内外１対の当たり面５１ａを備えている。
【００２１】
前記内支持体５３ａの突出端と前記外支持体５３ｂの突出端との間の距離は、前記幕板４の前記内平面部４ａ２及び前記外平面部４ｂ２が形成されている部分の厚さ寸法よりは大きく、前記幕板４上端の厚さ寸法よりは小さくしている。すなわち、前記幕板４の上端を前記上壁５１、前記垂下壁５２、前記内支持体５３ａ、及び前記外支持体５３ｂにより区画される空間に配置すると、前記幕板４は内傾斜面４ａ１が前記内支持体５３ａに、前記外傾斜面４ａ２が前記外支持体５３ｂにそれぞれ当接した状態で前記幕板支持部５に保持されるようにしている。そして、この幕板支持部５の長手方向両端部には、内部を隠蔽すべく蓋体５５を取り付けるようにしている。
【００２２】
以上のように構成された天板付き家具１において、清掃用のモップが衝突し、あるいは着座者の足により蹴り込まれる等、幕板４が面板方向から力を受けた場合には、前記内傾斜面４ａ１と前記内支持体５３ａとの当接状態、あるいは前記外傾斜面４ｂ１と前記外支持体５３ｂとの当接状態が解消されて幕板４がその厚さ方向に遥動する。すなわち、前記幕板４は前記幕板支持部５により厚さ方向に遥動可能に支持されている。
【００２３】
しかして本実施形態では、前記幕板４は、一方に傾動した場合と他方に傾動した場合とにおいて異なる支点で支持される。具体的には、前記幕板４が天板２の下方の空間に向けて傾動した場合には、図５に相当する部位の図を図６に示すように、この幕板４は、外支持体５３ｂにより線的に支持される。一方、前記幕板４が天板２の下方の空間から離間するように傾動した場合には、図５に相当する部位の図を図７に示すように、この幕板４は、内支持体５３ａにより線的に支持される。なお、前記図６及び図７において、前記幕板４の前記内平面部４ａ２及び前記外平面部４ｂ２が鉛直をなすように支持されている状態を想像線により示している。
【００２４】
この際、外支持体５３ｂは幕板４の厚さ方向中心よりも外方、すなわち天板２の下方の空間から離間する方向に位置するので、この幕板４が天板２の下方の空間に向けて傾動した場合に幕板４の自重により幕板４が元の姿勢に戻ろうとする作用は、幕板４の厚さ方向中心において軸着した場合と比較して大きくなる。また、この幕板４が天板２の下方の空間から離間するように傾動した場合には、内支持体５３ａは幕板４の厚さ方向中心よりも内方、すなわち天板２の下方の空間に向かう方向に位置するので、幕板４の自重により幕板４が元の姿勢に戻ろうとする作用は、幕板４の厚さ方向中心において軸着した場合と比較して大きくなる。
【００２５】
さらに、幕板４が一定角度傾動すると、前記図６及び図７の実線に示すように、幕板４の上面４ｘが前記幕板支持部５の前記上壁５１のいずれかの当たり面５１ａに当接し、幕板４の厚み方向へのこれ以上の傾動が阻止されるようにしている。
【００２６】
以上に述べたように、本実施形態に係る幕板４の取付構造においては、前記幕板支持部５に幕板４の上端部を厚さ方向に揺動可能に支持させているので、清掃の際にモップ等の清掃具がこのような幕板４に衝突しても、また、着座者の足が幕板４を蹴り込むようなことがあっても、幕板４が退避して力を逃がすことにより、幕板４に無理な力がかかり幕板４が破損することを防ぐことができる。
【００２７】
前記幕板支持部５は、前記幕板４が一方に傾動した場合と他方に傾動した場合とにおいて異なる支点で支持するので、前記幕板４が傾動した状態において支点は厚さ方向中心よりも前記幕板が傾動した側と逆側に位置する。従って、幕板４が天板２から鉛直に垂下した状態に復帰しようとする力は幕板４を軸着した場合と比較して大きく、幕板４の傾動をより速やかに収束させることができ、幕板４のぐらつきを抑えることができる。
【００２８】
前記幕板４の内板面４ａ及び外板面４ｂの上端部に厚さ寸法を上方に向けて漸次増大させるようにして内傾斜面４ａ１及び外傾斜面４ａ２をそれぞれ形成しているとともに、前記内傾斜面４ａ１及び外傾斜面４ａ２に当接する内支持体５３ａ及び外支持体５３ｂを前記幕板支持部５の下端部に備えているので、幕板４はその自重の作用により前記内傾斜面４ａ１及び外傾斜面４ａ２がそれぞれ前記内支持体５３ａ及び外支持体５３ｂに当接する位置に配置され、幕板４が板面の両側、すなわち、内板面４ａ及び外板面４ｂがそれぞれ向かう側から内支持体５３ａ及び外支持体５３ｂにより支持されるので、幕板４を安定して保持させることができる。
【００２９】
特に、前記幕板４の内板面４ａ及び外板面４ｂが、平面部４ａ２、４ｂ２と、平面部４ａ２、４ｂ２に滑らかに連続する前記内傾斜面４ａ１及び外傾斜面４ａ２とを有するものであれば、幕板４が大幅に傾動して平面部４ａ２、４ｂ２が前記内支持体５３ａ又は外支持体５３ｂに当接した場合に、幕板４の自重により前記内支持体５３ａ及び外支持体５３ｂがそれぞれ前記内支持体５３ａ及び外支持体５３ｂに当接する状態に滑らかに復帰できる。
【００３０】
前記幕板支持部５が、幕板４の上方において幕板４に当接することにより幕板４の厚み方向への遥動を阻止する当接部たる側面視Ｖ字状の上壁５１を備えているので、幕板４が一定角度遥動するとこの上壁５１に幕板４の上端部が当接し、幕板４の前記一定角度以上の遥動が阻止されるので、幕板４の遥動をより速やかに収束させることができる。
【００３１】
複数枚の前記幕板４を幅方向に並列させて配置しているので、複数枚の幕板４を安定して前記幕板支持部５から鉛直に垂下した姿勢に保持できるので、複数枚の幕板４の厚さ方向位置をそろえて外観を整えることができるようになる。また、清掃の際にモップ等の清掃具が幕板４に衝突することや着座者の足が幕板４を蹴り込むようなことがあった場合、清掃具や着座者の足に当たった幕板４のみが遥動するので、天板２の端縁の長さ寸法の略全体にわたる幅寸法を有する一枚の幕板４のみを前記幕板支持部５に支持させる態様と比較して、幕板４の遥動に伴い前記幕板支持部５に無理な力がかかることを抑えることもできる。
【００３２】
なお、本発明は以上に述べた実施の形態に限られない。
【００３３】
例えば、上述した実施形態では天板２に幕板支持部５を取り付けるようにしているが、天板に幕板支持部を一体に形成するようにしてもよい。
【００３４】
また、従来の天板付き家具の天板の下面に幕板支持部５を取り付け、この幕板支持部５を介して該天板付き家具の天板の下方に前記幕板４を配置するようにしてもよい。
【００３５】
さらに、上述した実施形態では複数の幕板４を幅方向に並列させて配置しているが、単一の幕板４のみを天板の下方に配置するようにしてももちろんよい。
【００３６】
そして、幕板支持部と幕板とが当接する部分の構造は、上述した以外のものであってもよい。例えば、上述した実施形態における図５に相当する図を図８に示すように、幕板４０の上端部を側面視Ｔ字状に形成するとともに、幕板支持部５０の下端部に内方に向けて上昇する傾斜を有する支持体５０３を備えるようにし、このような支持体５０３により幕板４０の上端部を支持させてもよい。このような構成であっても、幕板４０が天板２０下方の空間側に傾く場合は幕板４０は外側に位置する支持体５０３に支持され、幕板４０が天板２０から離間する側に傾く場合は幕板４０は内側に位置する支持体５０３に支持されるので、幕板４０の揺動を速やかに収束させる効果を得ることはできる。
【００３７】
その他、本発明の趣旨を損ねない範囲で種々に変更してよい。
【図面の簡単な説明】
【００３８】
【図１】本発明の一実施形態に係る家具の正面図。
【図２】同実施形態に係る家具の側面図。
【図３】同実施形態に係る家具の平面図。
【図４】図３におけるａ−ａ断面図。
【図５】図４における要部を拡大して示した図。
【図６】同実施形態に係る家具の幕板が傾動した状態における図５に相当する図。
【図７】同実施形態に係る家具の幕板が傾動した状態における図５に相当する図。
【図８】本発明の他の実施形態に係る家具の図５に相当する図。
【符号の説明】
【００３９】
１…家具
２…天板
４…幕板
４ａ１…内傾斜面（傾斜面）
４ａ２…内平面部（平面部）
４ｂ１…外傾斜面（傾斜面）
４ｂ２…外平面部（平面部）
５…幕板支持部
５１…上壁（当接部）
５３ａ…内支持体（支持体）
５３ｂ…外支持体（支持体）
【図１】
2005143680.tif 000003
【図２】
2005143680.tif 000004
【図３】
2005143680.tif 000005
【図４】
2005143680.tif 000006
【図５】
2005143680.tif 000007
【図６】
2005143680.tif 000008
【図７】
2005143680.tif 000009
【図８】
2005143680.tif 000010